(57)【要約】      （修正有）【課題】如何なる形状のパウチでも手で支えずに倒立した状態で詰替用容器に内容物を詰め替えることのできるパウチ詰替用補助具を提供する。【解決手段】パウチ詰替用補助具１は、パウチを収容する漏斗状の本体２と本体２を懸垂する懸垂ボード３とよりなり、本体２と懸垂ボード３は着脱自在に結合具を介して結合されている。パウチ６を本体の中に逆さまにした状態で挿入しその一端を磁性体５４と磁石５３で挟持して固定する。パウチ６の内容物はノズル２１を介して詰替容器７内に自重で流れ込む。本体２は壁等に設けたフックに懸垂されているので、手を離しても転倒する恐れはない。【選択図】図７
0003233014.tif 000002
【実用新案登録請求の範囲】
【請求項１】
パウチを収容する漏斗状の本体と該本体を懸垂するための懸垂ボードとよりなり、上記本
体と上記懸垂ボードは着脱自在に結合具を介して結合されていることを特徴とするパウチ
詰替用補助具。
【請求項２】
上記懸垂ボードにはパウチの一端を挟み込み固定するための挟持具と該懸垂ボードを壁等
に懸垂するための係止孔を設けたことを特徴とする請求項１に記載のパウチ詰替用補助具
。
【請求項３】
上記結合具としては、鈎止めファスナー、スナップファスナー、無線ファスナー、ガイド
部材とスライドバーとの組み合わせの群から選ばれた何れかの結合具を用いることを特徴
とする請求項１に記載のパウチ詰替用補助具。
【請求項４】
上記挟持具として、クリップ、磁石と磁石の組み合わせ、磁石と磁性体との組み合わせの
群から選ばれた何れかの挟持具を用いることを特徴とする請求項１に記載のパウチ詰替用
補助具。
【考案の詳細な説明】
【技術分野】
【０００１】
本考案は、パウチ製品を詰替用容器に詰め替える作業を容易に行うためのパウチ詰替用
補助具、特に手でパウチを持っていなくても転倒することなく完全にパウチ内容物を詰替
用容器に詰め替えることができるパウチ詰替用補助具に関するものである。
【背景技術】
【０００２】
詰替用パウチの内容物を詰替用容器に詰め替える際、パウチを手で持って詰替用容器に絞
り出しているが、この作業は時間がかかり、しかも付ききりの仕事となる。さらに、パウ
チの内面に付いている内容物を完全に絞り出すのは時間もかかり、途中で諦めて完全に絞
り出さないままパウチを放棄してしまうことが多く、内容物の無駄が発生する。
【０００３】
この問題を解決するためにペットボトル状のパウチを逆さにして、詰替用容器の口に差し
込み、手で支えないでパウチ容器を倒立した状態で詰替用容器に内容物を流し込む方法が
提案された（特開２０２０−１８６０３０公報参照）。
【先行技術文献】
【特許文献】
【０００４】
【特許文献１】特開２０２０−１８６０３０
【考案の概要】
【考案が解決しようとする課題】
【０００５】
上記特開２０２０−１８６０３０公報記載の方法は、開口部を備えたパウチ、即ち自立性
の弱いスパウトパウチを箱状の補助具でささえ、詰替用容器の開口部に倒立した状態でパ
ウチのスパウトを詰替用容器の開口部に差し込み、手で離しても自立した状態でパウチの
内容物を詰替用容器に流し込むようにしたものである。
【０００６】
しかし、この方法はスパウトを持つパウチでしかもパウチの位置が中央部にあるパウチし
か使えないという欠点がある。
さらに、この従来の方法では、パウチは倒立した状態で詰替用容器の開口部の上に自立し
ているとはいえ、公報の図３に示すようにスパウトパウチは詰替用容器とほぼ同じ大きさ
を有しているので一寸した振動でも転倒する恐れがある。
本考案は、スパウトパウチは勿論、スパウトのない例えば袋状のパウチでも手で支えずに
倒立した状態で、転倒する恐れがなく、詰替用容器に内容物を詰め替えることのできるパ
ウチ詰替用補助具を提供するものである。
【課題を解決するための手段】
【０００７】
本考案のパウチ詰替用補助具は、パウチを収容する漏斗状の本体と該本体を懸垂するため
の懸垂ボードとよりなり、上記本体と上記懸垂ボードは着脱自在に結合具を介して結合さ
れていることを特徴とする。
【０００８】
上記懸垂ボードにはパウチの一端を挟み込み固定するための挟持具と該懸垂ボードを壁等
に懸垂するための係止孔が設けられている。
上記挟持具として、目玉クリップ、ダブルクリップ等のクリップ類や、磁石と磁石の組み
合わせ、磁石と磁性体例えば鉄板との組み合わせによる挟持具を用いることができる。
【０００９】
上記本体と上記懸垂ボードの結合具としては、通称マジックファスナー（登録商標）と称
されている鈎止めファスナーや、スナップファスナー又は無線ファスナー等のファスナー
類が使用される。そのほかガイド部材とスライドバーとを組み合わせた着脱機構を用いる
こともできる。
【００１０】
パウチ詰替用補助具の本体は漏斗状をしているが、その材質は、耐水性、硬質の材料なら
ば特に制限はないが、硬質合成樹脂製が好ましい。
懸垂ボードは、上記パウチを収容した本体を懸垂するためのものであるから、その重量に
絶えられる強度を有する材料ならば特に制限はないが、プラスチックシートや木製の板材
が好ましく持いられる。
【考案の効果】
【００１１】
本考案のパウチ詰替用補助具を使用すれば、パウチを収容する漏斗状の本体が壁等に設け
たフックに係止された懸垂ボードによって懸垂されているので、詰替用容器にパウチの内
容物を注入する場合、手で押さえていなくてもパウチや詰替用容器が転倒することがない
。
【００１２】
本考案のパウチ詰替用補助具を使用すれば、漏斗状の本体にパウチを収納し、懸垂ボード
に設け挟持具によってパウチの一端を固定するので、スパウトパウチは勿論のこと、如何
なる形体のパウチでも懸垂ボードに挟持でき、パウチの内容物を詰替用容器にこぼすこと
なく詰め替えることができる。
特に、広い面積を持つ板状の磁性体と磁石との組み合わせの挟持具を使用する場合は、大
小様々な形状をしたパウチに対応することができる利点がある。
【００１３】
本考案のパウチ詰替用補助具は漏斗状の本体と懸垂ボードが結合具によって着脱自在に連
結されているので、汚れやすい本体を懸垂ボードから分離して洗浄することができるので
、極めて衛生的であり、また、保存にも便利である。
【図面の簡単な説明】
【００１４】
【図１】本考案の一実施例を示すパウチ詰替用補助具の正面図である。
【図２】図１のＡ−Ａ線による縦断面図である。
【図３】図１のパウチ詰替用補助具の懸垂ボードの正面図である。
【図４】本考案の他の実施例を示すパウチ詰替用補助具の正面図である。
【図５】図４のＢ−Ｂ線による縦断面図である。
【図６】図５のＣ−Ｃ線による横断面図である。
【図７】本考案のパウチ詰替用補助具の使用状態を示す参考図である。
【考案を実施するための形態】
【００１５】
本考案のパウチ詰替用補助具を次の実施例で説明する。
【実施例１】
【００１６】
図１は本考案のパウチ詰替用補助具の一実施例を示す平面図で、１は本考案のパウチ詰替
用補助具で、耐久性のプラスチック等適宜硬質材料で一体成形された漏斗型の本体２と本
体２を壁等に取り付けたフックに懸垂するための懸垂ボード３より構成されている。本体
１と懸垂ボード３は、図２に示すように本体２の上部及び懸垂ボードの下端にそれぞれ取
り付けられた鈎止めファスナー３２の対によって着脱自在に結合されている。本体２は上
部に大きな開口部２２を、下部に本体２を詰替用容器の開口部に挿入するためのノズル２
１を備えている。
【００１７】
図１及び図３に示すように、懸垂ボード３には本体２に逆さにして収容したパウチの一端
を固定するための挟持板４と懸垂ボード３を壁等に取り付けたフックに吊すための係止孔
３１を備えた係止片３８が設けられている。
【００１８】
図２に示すように、挟持板４は、一端が懸垂ボード３に止着部４２によって固定された連
結紐４１によって懸垂ボード３に連結され、その内部には磁石５１が内蔵されている。こ
の磁石５１は懸垂ボード３に取り付けられた別の磁石５２に吸着してパウチの一端を挟持
する。その操作を容易にするために把手４３が挟持板４に取り付けられている。磁石５２
は懸垂ボード３の窪みに収容され、蓋３４によって固定されている。蓋３４はその下端は
懸垂ボード３に接着部３５によって固着され、上端は上端と懸垂ボード３にそれぞれ設け
られた鈎止めファスナー３３の対によって懸垂ボード３に開閉自在に取り付けられている
。
【００１９】
挟持板４は、円形の本体開口部２２に固定され湾曲形状になった懸垂ボード３の曲面に対
応して変形するゴムのような軟質材料で構成されることが好ましい。
【実施例２】
【００２０】
図４は別の実施例を示すパウチ詰替用補助具の平面図で、パウチ詰替用補助具１は本体２
と長方形の懸垂ボード３とより構成され、両者は着脱自在に結合されている。図５に示す
ように本体２は漏斗状をなしており、その背面２４は板状の懸垂ボード３と結合するため
扁平に形成されている。
【００２１】
本体２と懸垂ボード３との結合構造は、図６に示すように、本体２の背面２４に固定され
たスライドバー２５の両端が懸垂ボード３の下部両端に設けられた断面コの字状のガイド
部３６、３６に係合されて上下にスライドできるように構成されている。ガイド部３６の
下端には図５に示すように係止棒３７が固定されて、スライドバー２５、即ち本体２が下
に落ちないように支えている。この構造によれば、本体２を上方向にスライドさせればガ
イド部３６から離脱して分離することができる。
【００２２】
懸垂ボード３に固定された磁性体５４とそれに吸着される磁石５３とによってパウチの一
端を挟持してパウチを本体２内に倒立して固定することができる。
磁性体５４は広い面積をした板状で、それに対応する磁石５３はフリーで固定されていな
いので磁性体５４の範囲で如何なる形状のパウチでも挟持することができる。また、磁石
５３には取り扱いを用意にするために指先で保持できる把手５５が設けられている。
【００２３】
図７は本発明のパウチ詰替用補助具の使用状態を説明するための説明図で、壁等に取り付
けたフックに懸垂ボード３の係止片３8に設けられた係止孔３１を掛け、本体２を懸垂す
る。本体２のノズル２１を詰替用容器７の開口に挿入する。この状態で開封したパウチ６
を本体の中に逆さまにした状態で挿入しその一端を磁性板54と磁石53で挟持して固定する
。パウチの内容物はノズル２１を介して詰替容器７内に自重で流れ込む。本体２は壁等に
設けたフックに懸垂されているので、手を離しても転倒する恐れはない。
このように本考案のパウチ詰替補助具１を使用すれば、図示のような自立性のないパウチ
６でも容易に手離しで詰め替え作業を行うことができる。
【符号の説明】
【００２４】
１  パウチ詰替用補助具
２  本体
２１  ノズル
２２  開口部
２４  背面
２５  スライドバー
３  懸垂ボード
３１  係止孔
３２、３３  鈎止めファスナー
３６  ガイド部
３７  係止棒
４  挟持板
４１  連結紐
５１〜５3  磁石
5４  磁性体
６  パウチ
７  詰替容器
【図１】
0003233014.tif 000003
【図２】
0003233014.tif 000004
【図３】
0003233014.tif 000005
【図４】
0003233014.tif 000006
【図５】
0003233014.tif 000007
【図６】
0003233014.tif 000008
【図７】
0003233014.tif 000009
【手続補正書】
【提出日】令和3年5月18日(2021.5.18)
【手続補正１】
【補正対象書類名】実用新案登録請求の範囲
【補正対象項目名】全文
【補正方法】変更
【補正の内容】
【実用新案登録請求の範囲】
【請求項１】
パウチを収容する漏斗状の本体と該本体を懸垂するための懸垂ボードとよりなり、上記本
体と上記懸垂ボードは着脱自在に結合具を介して結合されていることを特徴とするパウチ
詰替用補助具。
【請求項２】
上記懸垂ボードにはパウチの一端を挟み込み固定するための挟持具と該懸垂ボードを壁等
に懸垂するための係止孔を設けたことを特徴とする請求項１に記載のパウチ詰替用補助具
。
【請求項３】
上記結合具としては、鈎止めファスナー、スナップファスナー、無線ファスナー、ガイド
部材とスライドバーとの組み合わせの群から選ばれた何れかの結合具を用いることを特徴
とする請求項１に記載のパウチ詰替用補助具。
【請求項４】
上記挟持具として、クリップ、磁石と磁石の組み合わせ、磁石と磁性体との組み合わせの
群から選ばれた何れかの挟持具を用いることを特徴とする請求項２に記載のパウチ詰替用
補助具。